(57)【特許請求の範囲】
【請求項１】
ジャンパー装置において、プリント基板、第一ジャンパー座、第二ジャンパー座、及びジャンパーを備え、前記第一ジャンパー座は、前記プリント基板に固定されると共に前記プリント基板と電気的に接続される第一ピンが設けられ、前記第二ジャンパー座は、前記プリント基板に固定されると共に前記プリント基板と電気的に接続される第二ピンが設けられ、前記第二ピンの頂部には当止部が設けられ、前記ジャンパーには、並列に設けられた２つの貫通孔であって前記第一ピン及び前記第二ピンに平行する２つの貫通孔が形成されており、前記２つの貫通孔の内壁には、それぞれ挟持部が取り付けられており、前記２つの貫通孔の前記挟持部は電気的に接続されており、前記２つの貫通孔に前記第一ピン及び前記第二ピンが挿し込まれると、前記第一ピン及び前記第二ピンが前記２つの貫通孔の前記挟持部にそれぞれ接触し、前記第一ピンと前記第二ピンとが電気的に接続され、前記ジャンパーが前記第二ピンに沿って移動して前記当止部に当止されると、前記第一ピンと前記第二ピンとの電気的な接続が遮断されることを特徴とするジャンパー装置。
【請求項２】
前記２つの貫通孔の前記挟持部の各々が、前記第一ピン或いは前記第二ピンを挟むための一組の導電性を有する弾性片を備えることを特徴とする請求項１に記載のジャンパー装置。
【請求項３】
前記ジャンパー装置は、更に前記プリント基板に固定された第三ジャンパー座を備え、前記第三ジャンパー座には、前記プリント基板と電気的に接続される第三ピンが設けられ、前記２つの貫通孔に前記第二ピン及び前記第三ピンが挿し込まれると、前記第二ピンと前記第三ピンとが電気的に接続されることを特徴とする請求項１または２に記載のジャンパー装置。
【請求項４】
前記第一ジャンパー座、前記第二ジャンパー座、前記第三ジャンパー座の順に並べて前記プリント基板に固定され、且つ同一直線上に位置するように設置されることを特徴とする請求項３に記載のジャンパー装置。
【請求項５】
前記第一ジャンパー座、前記第二ジャンパー座、及び前記第三ジャンパー座の各々の上表面の２つの対角位置には、それぞれ緩衝突起が設けられ、前記緩衝突起は、前記ジャンパーをジャンパー座に向けて押圧する際、前記ジャンパーに対する衝撃を吸収することを特徴とする請求項１、３または４に記載のジャンパー装置。
【請求項６】
前記ジャンパーは、本体部と、前記本体部の頂部から前記本体部の上方に向けて前記本体部から離れる方向に延在した後、円弧状に傾斜したハンドルと、を備え、前記２つの貫通孔が前記本体部に形成されていることを特徴とする請求項１〜５のいずれか１項に記載のジャンパー装置。
【請求項７】
前記第二ピンのガイド部の前記第二ジャンパー座から突き出た部分の高さは、前記本体部の高さと、前記第一ピンが前記第一ジャンパー座から突き出た部分の高さとの和より大きいことを特徴とする請求項６に記載のジャンパー装置。
【発明の詳細な説明】
【技術分野】
【０００１】
本発明は、ジャンパー装置に関するものである。
【背景技術】
【０００２】
従来のプリント基板には、多数のジャンパーが使用されているが、これらのジャンパーは容易に脱離されるので紛失し易いという問題がある。
【発明の概要】
【発明が解決しようとする課題】
【０００３】
以上の問題点に鑑みて、本発明は、ジャンパーを紛失しにくいジャンパー装置を提供することを目的とする。
【課題を解決するための手段】
【０００４】
上記の課題を解決するために、本発明のジャンパー装置は、プリント基板、第一ジャンパー座、第二ジャンパー座、及びジャンパーを備える。前記第一ジャンパー座は前記プリント基板に固定されると共に前記プリント基板と電気的に接続される第一ピンが設けられ、前記第二ジャンパー座は前記プリント基板に固定されると共に前記プリント基板と電気的に接続される第二ピンが設けられ、前記第二ピンの頂部には当止部が設けられ、前記ジャンパーには、並列に設けられた２つの貫通孔であって前記第一ピン及び前記第二ピンに平行する２つの貫通孔が形成されており、前記２つの貫通孔の内壁にはそれぞれ挟持部が取り付けられ、前記２つの貫通孔の前記挟持部は電気的に接続されており、前記２つの貫通孔に前記第一ピン及び前記第二ピンが挿し込まれると、前記第一ピン及び前記第二ピンが前記２つの貫通孔の前記挟持部にそれぞれ接触し、前記第一ピンと前記第二ピンとが電気的に接続され、前記ジャンパーが前記第二ピンに沿って移動して前記当止部に当止されると、前記第一ピンと前記第二ピンとの電気的な接続が遮断される。
【発明の効果】
【０００５】
本発明のジャンパー装置の第二ピンの頂部には当止部が設けられているので、ジャンパーがジャンパー座から離れる方向に向かって移動する過程で、当止部によって、ジャンパーの移動が当止されて、ジャンパーが第二ピンから脱離することが防止される。これにより、ジャンパーの紛失を防止することができる。
【図面の簡単な説明】
【０００６】
【図１】本発明に係るジャンパー装置の斜視図である。
【図２】図１に示したジャンパー装置の組立図である。
【図３】本発明に係るジャンパー装置の異なる使用状態を示す図である。
【図４】本発明に係るジャンパー装置の異なる使用状態を示す図である。
【図５】本発明に係るジャンパー装置の異なる使用状態を示す図である。
【発明を実施するための形態】
【０００７】
以下、図面に基づいて、本発明に係るジャンパー装置について詳細に説明する。
【０００８】
図１に示すように、本発明に係るジャンパー装置は、プリント基板１００に設置されるものであり、その概略構成は、第一ジャンパー座１０と、第二ジャンパー座２０と、第三ジャンパー座３０と、ジャンパー４０と、を備える。第一ジャンパー座１０、第二ジャンパー座２０、及び第三ジャンパー座３０はそれぞれ直方形状を呈し、第一ジャンパー座１０、第二ジャンパー座２０、第三ジャンパー座３０の順に並べてプリント基板１００上に固定される。この時、第一ジャンパー座１０、第二ジャンパー座２０、及び第三ジャンパー座３０は、ほぼ第一方向に、且つ同一直線上に位置するように設置されている。また、第一ジャンパー座１０、第二ジャンパー座２０、及び第三ジャンパー座３０の各中央部には、プリント基板１００と電気的に接続するための第一ピン１１、第二ピン２１、及び第三ピン３１がそれぞれ立設されている。第一ピン１１、第二ピン２１、及び第三ピン３１は、導電性材料によってそれぞれ製造される。
【０００９】
第一ジャンパー座１０の上表面の２つの対角位置には、緩衝突起１３がそれぞれ設けられている。第二ジャンパー座２０の上表面の２つの対角位置には、緩衝突起２３がそれぞれ設けられている。第三ジャンパー座３０の上表面の２つの対角位置には、緩衝突起３３がそれぞれ設けられている。
【００１０】
第一ピン１１及び第三ピン３１の一端はプリント基板１００と接触しており、第一ピン１１及び第三ピン３１の他端、すなわち前記一端の反対側の端部には、錐台状を呈した導向部１１２、３３１が設けられている。第二ピン２１は、棒状のガイド部２１１と当止部２１３とを備える。ガイド部２１１は、第二ジャンパー座２０上に固定され、且つプリント基板１００と電気的に接続される。ガイド部２１１の一端は、第二ジャンパー座２０と接触している。当止部２１３は、ガイド部２１１の他端、すなわち前記一端の反対側の端部から、ガイド部２１１に対して垂直に延在して形成されている。
【００１１】
ジャンパー４０は、略直方形の本体部４１と、本体部４１の頂部に立設されたハンドル４３と、を備える。ハンドル４３は、本体部４１の頂部から本体部４１の上方に向けて本体部４１から離れる方向に延在した後、円弧状に傾斜する形状を呈している。つまり、ハンドル４３の先端部分は、円弧状に曲げられている。本体部４１には、本体部４１の頂部から底部にかけて貫通する第一貫通孔４５と第二貫通孔４７とがそれぞれ形成されている。これら第一貫通孔４５及び第二貫通孔４７は並列するように設けられ、且つハンドル４３における第一貫通孔４５及び第二貫通孔４７に近接する部分、つまりハンドル４３の根元部分と平行する。第一貫通孔４５の内壁には、第一挟持部４５１が取り付けられており、第二貫通孔４７の内壁には、第一挟持部４５１と電気的に接続される第二挟持部４７１が取り付けられている。第一挟持部４５１は、第二ピン２１を挟むための一組の導電性を有する弾性片４５１２を備える。第二挟持部４７１は、第三ピン３１を挟むための一組の導電性を有する弾性片４７１２を備える。
【００１２】
図２に示すように、ジャンパー装置を組み立てる際、第二ピン２１のガイド部２１１をジャンパー４０の第一貫通孔４５に挿し込んで、ジャンパー４０を第二ジャンパー座２０に固定し、且つプリント基板１００と電気的に接続する。この時、ガイド部２１１は、第一挟持部４５１と電気的に接続される。
【００１３】
図３〜図５に示すように、第二ピン２１と第三ピン３１とを導電させる際、ジャンパー４０を回転させて、第三ピン３１をジャンパー４０の第二貫通孔４７に対向させる。次いで、ジャンパー４０を押圧して、第三ピン３１をジャンパー４０の第二貫通孔４７に挿し込み、第二挟持部４７１と電気的に接続させ、ジャンパー４０を第二方向に沿って第一ジャンパー座１０上及び第二ジャンパー座２０上に固定させる。この時、第一方向と第二方向とは平行する（図３を参照）。第一ピン１１と第二ピン２１とを導電させる際、ジャンパー４０を回転させて、第一ピン１１をジャンパー４０の第二貫通孔４７に対向させる。次いで、ジャンパー４０を押圧して、第一ピン１１をジャンパー４０の第二貫通孔４７に挿し込み、且つ第二挟持部４７１と電気的に接続させる。この時、第一方向と第二方向とは平行する（図５を参照）。第一ピン１１及び第三ピン３１を導電する必要がない場合は、ハンドル４３を操作して、ジャンパー４０をジャンパー座と離れる方向に向けて移動させて、第一ピン１１或いは第三ピン３１をジャンパー４０の第二貫通孔４７から脱離させて、ジャンパー４０を回転して、このジャンパー４０を第一方向に対して垂直にする。最後に、ジャンパー４０から手を放す（図４を参照）。
【００１４】
当止部２１３は、ジャンパー４０をジャンパー座と離れる方向に向けて移動させる際に、ジャンパー４０が第二ピン２１から脱離することを防止する。緩衝突起１３、２３、３３は、ジャンパー４０をジャンパー座に向けて押圧する際、ジャンパー４０に対する衝撃を吸収する。
【００１５】
本実施形態において、第一ピン１１と第三ピン３１との高さは等しく、第二ピン２１のガイド部２１１の第二ジャンパー座２０から突き出た部分の高さは、本体部４１の高さと、第一ピン１１が第一ジャンパー座１０から突き出た部分の高さとの和より大きいので、当止部２１３がジャンパー４０の移動を止める際、第一ピン１１は、ジャンパー４０の第二貫通孔４７から脱離することができる。
【００１６】
他の実施形態において、第一ジャンパー座１０、第二ジャンパー座２０、第三ジャンパー座３０は、三角形状或いは他の形状によってプリント基板１００に設置することができる。ジャンパー４０を各ピンから取り替える際は、ジャンパー４０の回転角度を変更すれば良い。
【００１７】
以上、本発明の好適な実施形態について詳細に説明したが、本発明はこれらの実施形態に限定されるものではなく、本発明の範囲内で種々の変形又は修正が可能であり、そのような変形又は修正も又、本発明の特許請求の範囲内に含まれるものであることは、言うまでもない。
【符号の説明】
【００１８】
１００  プリント基板
１０  第一ジャンパー座
１１  第一ピン
１１２、３３１  導向部
１３、２３、３３  緩衝突起
２０  第二ジャンパー座
２１  第二ピン
２１１  ガイド部
２１３  当止部
３０  第三ジャンパー座
３１  第三ピン
４０  ジャンパー
４１  本体部
４３  ハンドル
４５  第一貫通孔
４５１  第一挟持部
４５１２、４７１２  導電性を有する弾性片
４７  第二貫通孔
４７１  第二挟持部
【図１】
0005587471.tif 000002
【図２】
0005587471.tif 000003
【図３】
0005587471.tif 000004
【図４】
0005587471.tif 000005
【図５】
0005587471.tif 000006